(57)【要約】【課題】トレーディングカードの買取価格を迅速かつ正確に査定する買取価格査定システムを提供する。【解決手段】スキャナ３、端末装置９Ｄおよびサーバ１０Ｄを含み、端末装置９Ｄは、読取画像データに合致する照合画像データが第１画像データベース４に格納されていない場合に読取画像データをサーバ１０Ｄに送信し、サーバ１０Ｄは、送信されてきた読取画像データと照合画像データとを照合してトレーディングカード２の属性を特定し、当該属性に関する識別データを端末装置９Ｄに送信し、識別データを受信した端末装置９Ｄの第１画像データ照合部６は、トレーディングカード２の画像に関するデータを当該トレーディングカード２の照合画像データとし、受信した識別データに関連付けて第１画像データベース４に格納させることを特徴とする。【選択図】図５
2014215930.tif 000002
【特許請求の範囲】
【請求項１】
トレーディングカードの買取価格を査定する買取価格査定システムであって、
査定するトレーディングカードを読み取って、当該トレーディングカードの画像に関する読取画像データを生成するスキャナと、
前記スキャナに接続された端末装置と、
ネットワークを介して少なくとも前記端末装置との間でデータの送受信が可能なサーバとを含み、
前記端末装置は、
前記査定するトレーディングカードの買取価格を表示する表示部と、
複数のトレーディングカードのそれぞれの画像に関する照合画像データが、トレーディングカード固有の属性に関する識別データに関連付けられて予め格納されている第１画像データベースと、
少なくとも前記複数のトレーディングカードのそれぞれの買取価格に関する買取価格データが、前記識別データに関連付けられて予め格納されている第１価格データベースと、
前記スキャナで生成された読取画像データと前記第１画像データベースに格納されている照合画像データとを照合し、前記読取画像データに合致する照合画像データがある場合に、当該照合画像データに関連付けられた識別データに基づいて前記査定するトレーディングカードの属性を特定する一方、前記読取画像データに合致する照合画像データがない場合に、前記読取画像データを前記サーバに送信する第１画像データ照合部と、
前記第１価格データベースを参照し、前記第１画像データ照合部で特定された属性に関する識別データに関連付けられた買取価格データに基づいて前記査定するトレーディングカードの買取価格を決定し、当該買取価格を前記表示部に表示させる第１価格決定部とを備え、
前記サーバは、
複数のトレーディングカードのそれぞれの画像に関する照合画像データが、前記識別データに関連付けられて予め格納されている第２画像データベースと、
前記第１画像データ照合部から送信されてきた読取画像データと前記第２画像データベースに格納されている照合画像データとを照合し、前記読取画像データと合致する照合画像データに関連付けられた識別データに基づいて前記査定するトレーディングカードの属性を特定し、当該属性に関する識別データを前記端末装置に送信する第２画像データ照合部とを備え、
前記第１画像データ照合部は、前記査定するトレーディングカードの画像に関するデータを当該トレーディングカードの照合画像データとし、当該照合画像データを前記第２画像データ照合部から送信されてきた前記識別データに関連付けて前記第１画像データベースに格納させることを特徴とする買取価格査定システム。
【請求項２】
前記買取価格データには、トレーディングカードの傷の度合いに応じた複数の買取価格が含まれており、
前記第１画像データ照合部は、前記読取画像データに基づいて前記査定するトレーディングカードの傷の度合いを判定し、
前記第１価格決定部は、前記第１画像データ照合部で判定された傷の度合いに応じて前記査定するトレーディングカードの買取価格を決定することを特徴とする請求項１に記載の買取価格査定システム。
【請求項３】
前記第１画像データ照合部は、前記読取画像データに基づいて前記査定するトレーディングカードの傷の度合いを判定し、
前記第１価格決定部は、前記第１画像データ照合部で判定された傷の度合いに応じて前記買取価格データの買取価格を減額したものを、前記査定するトレーディングカードの買取価格とすることを特徴とする請求項１に記載の買取価格査定システム。
【請求項４】
前記サーバは、
少なくとも前記複数のトレーディングカードのそれぞれの買取価格に関する買取価格データが、前記識別データに関連付けられて予め格納されている第２価格データベースと、
前記第２価格データベースを参照し、前記第２画像データ照合部で特定された属性に関する識別データに関連付けられた買取価格データに基づいて前記査定するトレーディングカードの買取価格を決定し、当該買取価格を前記表示部に表示させる第２価格決定部と、
をさらに備えたことを特徴とする請求項１〜３のいずれかに記載の買取価格査定システム。
【請求項５】
トレーディングカードの買取価格を査定する買取価格査定システムであって、
査定するトレーディングカードを読み取って、前記トレーディングカードの画像に関する読取画像データを生成するスキャナと、
前記査定するトレーディングカードの買取価格を表示する表示部と、
複数のトレーディングカードのそれぞれの画像に関する照合画像データが、トレーディングカード固有の属性に関する識別データに関連付けられて予め格納されている画像データベースと、
少なくとも前記複数のトレーディングカードのそれぞれの買取価格に関する買取価格データが、前記識別データに関連付けられて予め格納されている価格データベースと、
前記スキャナで生成された読取画像データと前記画像データベースに格納されている照合画像データとを照合し、前記読取画像データに合致する照合画像データがある場合に、当該照合画像データに関連付けられた識別データに基づいて前記査定するトレーディングカードの属性を特定する一方、前記読取画像データに合致する照合画像データがない場合に、当該照合画像データがない旨を前記表示部に表示させる画像データ照合部と、
前記価格データベースを参照し、前記画像データ照合部で特定された属性に関する識別データに関連付けられた買取価格データに基づいて前記査定するトレーディングカードの買取価格を決定し、当該買取価格を前記表示部に表示させる価格決定部と、
を備えたことを特徴とする買取価格査定システム。
【発明の詳細な説明】
【技術分野】
【０００１】
本発明は、トレーディングカードの買取価格を査定する買取価格査定システムに関する。
【背景技術】
【０００２】
一般に、トレーディングカードを取り扱う店舗では、１０枚程度のトレーディングカードが１つの袋に封入されて販売されている（例えば、特許文献１参照）。袋に封入されたトレーディングカードの中には、希少価値の高い（レアリティの高い）ものが含まれていることがある。顧客は、この希少価値の高いトレーディングカードを入手するために、大量にトレーディングカードを購入したり、顧客同士でトレーディングカードを交換したりする。
【０００３】
また、トレーディングカードを取り扱う店舗では、トレーディングカードの買取も行われている。トレーディングカードの売却を希望する顧客によりトレーディングカードが持ち込まれると、店舗のスタッフは、トレーディングカードの属性（名前、レアリティ等）と買取価格とが対応付けられた紙媒体の価格表を用いて、持ち込まれたトレーディングカードの買取価格を査定する。
【先行技術文献】
【特許文献】
【０００４】
【特許文献１】特開２００３−１６８１７２号公報
【発明の概要】
【発明が解決しようとする課題】
【０００５】
トレーディングカードを取り扱う店舗では、トレーディングカードの売却を希望する顧客により一度に数百〜数千枚程度のトレーディングカードが持ち込まれることが頻繁に起こるため、買取価格を査定するスピードをいかに上げるかが重要となる。
【０００６】
しかしながら、従来の査定方法では、紙媒体の価格表が用いられていたため、価格表のページをめくる手間やそのページの中から査定するトレーディングカードの買取価格を探す手間がかかり、持ち込まれたトレーディングカードの査定が終わるまでに膨大な時間を費やしていた。
【０００７】
しかも、市場には複数の商品（例えば、「遊戯王」、「バトルスピリッツ」、「ヴァンガード」等）のトレーディングカードが存在し、それぞれの商品において、類似した絵柄のものや絵柄が同じで文字の色だけが異なるもの等、一見して見分けが付かないトレーディングカードが多数存在する。このため、従来の査定方法では、トレーディングカードに関して高度な知識を有する者であっても、トレーディングカードを正確に識別できず、買取価格を誤って査定してしまうおそれがあった。
【０００８】
本発明は上記事情に鑑みてなされたものであって、その課題とするところは、トレーディングカードの買取価格を迅速かつ正確に査定することができる買取価格査定システムを提供することにある。
【課題を解決するための手段】
【０００９】
上記課題を解決するために、本発明の一実施形態に係る買取価格査定システムは、（１）トレーディングカードの買取価格を査定する買取価格査定システムであって、
査定するトレーディングカードを読み取って、当該トレーディングカードの画像に関する読取画像データを生成するスキャナと、
スキャナに接続された端末装置と、
ネットワークを介して少なくとも端末装置との間でデータの送受信が可能なサーバとを含み、
端末装置は、
査定するトレーディングカードの買取価格を表示する表示部と、
複数のトレーディングカードのそれぞれの画像に関する照合画像データが、トレーディングカード固有の属性に関する識別データに関連付けられて予め格納されている第１画像データベースと、
少なくとも複数のトレーディングカードのそれぞれの買取価格に関する買取価格データが、識別データに関連付けられて予め格納されている第１価格データベースと、
スキャナで生成された読取画像データと第１画像データベースに格納されている照合画像データとを照合し、読取画像データに合致する照合画像データがある場合に、当該照合画像データに関連付けられた識別データに基づいて、査定するトレーディングカードの属性を特定する一方、読取画像データに合致する照合画像データがない場合に、読取画像データをサーバに送信する第１画像データ照合部と、
第１価格データベースを参照し、第１画像データ照合部で特定された属性に関する識別データに関連付けられた買取価格データに基づいて、査定するトレーディングカードの買取価格を決定し、当該買取価格を表示部に表示させる第１価格決定部とを備え、
サーバは、
複数のトレーディングカードのそれぞれの画像に関する照合画像データが、識別データに関連付けられて予め格納されている第２画像データベースと、
第１画像データ照合部から送信されてきた読取画像データと第２画像データベースに格納されている照合画像データとを照合し、読取画像データと合致する照合画像データに関連付けられた識別データに基づいて、査定するトレーディングカードの属性を特定し、当該属性に関する識別データを端末装置に送信する第２画像データ照合部とを備え、
第１画像データ照合部は、査定するトレーディングカードの画像に関するデータを当該トレーディングカードの照合画像データとし、当該照合画像データを第２画像データ照合部から送信されてきた識別データに関連付けて第１画像データベースに格納させることを特徴とする。
【００１０】
上記（１）の買取価格査定システムでは、（２）買取価格データに、トレーディングカードの傷の度合いに応じた複数の買取価格が含まれている場合、
第１画像データ照合部は、読取画像データに基づいて査定するトレーディングカードの傷の度合いを判定し、
第１価格決定部は、第１画像データ照合部で判定された傷の度合いに応じて査定するトレーディングカードの買取価格を決定するよう構成できる。
【００１１】
上記（１）の買取価格査定システムでは、（３）第１画像データ照合部は、読取画像データに基づいて査定するトレーディングカードの傷の度合いを判定し、
第１価格決定部は、第１画像データ照合部で判定された傷の度合いに応じて買取価格データの買取価格を減額したものを、査定するトレーディングカードの買取価格とするよう構成できる。
【００１２】
上記（１）〜（３）の買取価格査定システムでは、（４）サーバは、
少なくとも複数のトレーディングカードのそれぞれの買取価格に関する買取価格データが、識別データに関連付けられて予め格納されている第２価格データベースと、
第２価格データベースを参照し、第２画像データ照合部で特定された属性に関する識別データに関連付けられた買取価格データに基づいて、査定するトレーディングカードの買取価格を決定し、当該買取価格を表示部に表示させる第２価格決定部と、
をさらに備えた構成とすることができる。
【００１３】
上記課題を解決するために、本発明の他の実施形態に係る買取価格査定システムは、（５）トレーディングカードの買取価格を査定する買取価格査定システムであって、
査定するトレーディングカードを読み取って、トレーディングカードの画像に関する読取画像データを生成するスキャナと、
査定するトレーディングカードの買取価格を表示する表示部と、
複数のトレーディングカードのそれぞれの画像に関する照合画像データが、トレーディングカード固有の属性に関する識別データに関連付けられて予め格納されている画像データベースと、
少なくとも複数のトレーディングカードのそれぞれの買取価格に関する買取価格データが、識別データに関連付けられて予め格納されている価格データベースと、
スキャナで生成された読取画像データと画像データベースに格納されている照合画像データとを照合し、読取画像データに合致する照合画像データがある場合に、当該照合画像データに関連付けられた識別データに基づいて査定するトレーディングカードの属性を特定する一方、読取画像データに合致する照合画像データがない場合に、当該照合画像データがない旨を表示部に表示させる画像データ照合部と、
価格データベースを参照し、画像データ照合部で特定された属性に関する識別データに関連付けられた買取価格データに基づいて査定するトレーディングカードの買取価格を決定し、当該買取価格を表示部に表示させる価格決定部と、
を備えたことを特徴とする。
【発明の効果】
【００１４】
本発明によれば、トレーディングカードの買取価格を迅速かつ正確に査定することができる買取価格査定システムを提供することができる。
【図面の簡単な説明】
【００１５】
【図１】本発明の第１実施形態に係る買取価格査定システムのブロック図である。
【図２】（Ａ）は本発明における画像データベース、（Ｂ）は本発明における価格データベースの一例である。
【図３】本発明の第２実施形態に係る買取価格査定システムのブロック図である。
【図４】本発明の第３実施形態に係る買取価格査定システムのブロック図である。
【図５】本発明の第４実施形態に係る買取価格査定システムのブロック図である。
【図６】本発明の第５実施形態に係る買取価格査定システムのブロック図である。
【図７】本発明における価格データベースの変形例である。
【発明を実施するための形態】
【００１６】
以下、添付図面を参照して、本発明に係る買取価格査定システムの好ましい実施形態について説明する。なお、各実施形態において、同じ参照符号を付しているものは、基本的に同様の機能を有するものとしてその詳細な説明を省略する。
【００１７】
［第１実施形態］
図１に、本発明の第１実施形態に係る買取価格査定システム１Ａを示す。同図に示すように、買取価格査定システム１Ａは、スキャナ３と、スキャナ３に接続された端末装置９Ａとを含んでいる。
【００１８】
スキャナ３は、査定するトレーディングカード２を１枚ずつ連続的に読み取って、トレーディングカード２の画像に関する読取画像データを生成する。本実施形態では、スキャナ３として、カラー情報の読み取りが可能でかつ解像度が１５０ｄｐｉの市販の名刺読取用スキャナを使用している。
【００１９】
端末装置９Ａは、トレーディングカード２を取り扱う店舗に設置されたノートパソコンであり、画像データベース４と、価格データベース５と、画像データ照合部６と、価格決定部７と、表示部８とを備えている。
【００２０】
画像データベース４には、図２（Ａ）に示すように、複数のトレーディングカード２のそれぞれの画像（Ａ、Ｂ、Ｃ、・・・）に関する照合画像データが、トレーディングカード２固有の属性（名前、レアリティ）に関する識別データに関連付けられて予め格納されている。名前は、トレーディングカード２の画像に含まれているキャラクターの名前を示したものであり、レアリティは、そのトレーディングカード２の希少価値を示したものである。
【００２１】
レアリティには、希少価値に応じて「ノーマル」、「レア」、「スーパーレア」、「ウルトラレア」等の分類があり、これらの分類は、画像に含まれている文字の色、光沢加工やホログラム加工の有無等に基づいて決定される。例えば、同じ名前のキャラクターが印刷されたトレーディングカード２であっても、「ノーマル」と「レア」では、画像に含まれている文字の色が異なり、「ノーマル」と「スーパーレア」では、光沢加工の有無が異なる。
【００２２】
価格データベース５には、図２（Ｂ）に示すように、複数のトレーディングカード２のそれぞれの買取価格に関する買取価格データが、識別データに関連付けられて予め格納されている。価格データベース５には、少なくとも画像データベース４に格納された照合画像データ元のトレーディングカード２の買取価格に関する買取価格データ、好ましくは端末装置９Ａが設置された店舗で取り扱っている商品の全種類のトレーディングカード２の買取価格に関する買取価格データが格納されている。
【００２３】
再び図１を参照して、画像データ照合部６は、スキャナ３で読取画像データが生成されると、当該読取画像データと画像データベース４に格納された照合画像データとを照合し、当該読取画像データに合致する照合画像データに関連付けられた識別データに基づいて、査定するトレーディングカード２の属性を特定する。画像データベース４に格納された照合画像データの画像数が百万枚以下の場合、画像データ照合部６は、０．１〜１秒で査定するトレーディングカード２の属性を特定することができる。
【００２４】
なお、読取画像データに合致する照合画像データが画像データベース４に格納されていない場合、画像データ照合部６は、当該照合画像データがない旨を表示部８に表示させる。具体的には、画像データ照合部６は、読取画像データ元のトレーディングカード２の画像を表示部８に表示させる。
【００２５】
価格決定部７は、画像データ照合部６でトレーディングカード２の属性が特定されると、価格データベース５を参照しつつ、当該属性に関する識別データに関連付けられた買取価格データに基づいて、査定するトレーディングカード２の買取価格を決定し、当該買取価格を表示部８に表示させる。
【００２６】
なお、画像データ照合部６でトレーディングカード２の属性が特定されなかった場合は、端末装置９Ａの入力部（キーボード）から査定するトレーディングカード２の属性を直接入力することで、価格決定部７に査定するトレーディングカード２の買取価格を決定させることができる。例えば、１００枚のトレーディングカード２をスキャナ３で連続的に読み取らせたときに、３枚目のトレーディングカード２の読取画像データに合致する照合画像データのみが画像データベース４に格納されていなかった場合、表示部８には、３枚目を除く９９枚のトレーディングカード２の買取価格と、３枚目のトレーディングカード２の画像とが表示される。これにより、店舗のスタッフおよび顧客は、３枚目のトレーディングカード２の買取価格が査定されていないことが分かるので、上述したように３枚目のトレーディングカード２の属性を直接入力することで、３枚目のトレーディングカード２の買取価格も表示部８に表示させることができる。
【００２７】
結局、買取価格査定システム１Ａでは、トレーディングカード２の照合画像データを予め画像データベース４に格納しておくことで、査定するトレーディングカード２をスキャナ３で読み取らせると、自動的に当該トレーディングカード２の買取価格が表示部８に表示される。したがって、買取価格査定システム１Ａによれば、トレーディングカード２の買取価格を迅速かつ正確に査定することができる。
【００２８】
［第２実施形態］
図３に、本発明の第２実施形態に係る買取価格査定システム１Ｂを示す。同図に示すように、買取価格査定システム１Ｂは、店舗側に設置された端末装置９Ｂと、端末装置９Ｂに接続されたスキャナ３と、本部側に設置されたサーバ１０Ｂとを含んでいる。
【００２９】
端末装置９Ｂは、表示部８と、送受信部１１とを備えている。サーバ１０Ｂは、画像データベース４と、価格データベース５と、画像データ照合部６と、価格決定部７と、送受信部１２とを備えている。端末装置９Ｂとサーバ１０Ｂとは、ネットワークを介して互いにデータの送受信が可能になっている。なお、サーバ１０Ｂは、複数の店舗（複数の端末装置９Ｂ）との間でデータの送受信が可能になっている。
【００３０】
買取価格査定システム１Ｂでは、査定するトレーディングカード２を店舗側のスキャナ３で読み取らせると、店舗側の端末装置９Ｂが、スキャナ３で生成されたトレーディングカード２の読取画像データを、送受信部１１を介して本部側のサーバ１０Ｂに送信する。読取画像データを受信したサーバ１０Ｂは、画像データ照合部６でトレーディングカード２の属性を特定し、価格決定部７でトレーディングカード２の買取価格を決定して、当該買取価格に関する買取価格データを送受信部１２を介して店舗側の端末装置９Ｂに送信する。買取価格データを受信した端末装置９Ｂは、表示部８にトレーディングカード２の買取価格を表示させる。
【００３１】
［第３実施形態］
図４に、本発明の第３実施形態に係る買取価格査定システム１Ｃを示す。同図に示すように、買取価格査定システム１Ｃは、店舗側に設置された端末装置９Ｃと、端末装置９Ｃに接続されたスキャナ３と、本部側に設置されたサーバ１０Ｃとを含んでいる。
【００３２】
端末装置９Ｃは、価格データベース５と、価格決定部７と、表示部８と、送受信部１１とを備えている。サーバ１０Ｃは、画像データベース４と、画像データ照合部６と、送受信部１２とを備えている。
【００３３】
買取価格査定システム１Ｃでは、査定するトレーディングカード２を店舗側のスキャナ３で読み取らせると、店舗側の端末装置９Ｃが、スキャナ３で生成されたトレーディングカード２の読取画像データを、送受信部１１を介して本部側のサーバ１０Ｃに送信する。読取画像データを受信したサーバ１０Ｃは、画像データ照合部６でトレーディングカード２の属性を特定し、当該属性に関する識別データを送受信部１２を介して店舗側の端末装置９Ｃに送信する。識別データを受信した端末装置９Ｃは、価格決定部７でトレーディングカード２の買取価格を決定し、表示部８に決定した買取価格を表示させる。
【００３４】
［第４実施形態］
図５に、本発明の第４実施形態に係る買取価格査定システム１Ｄを示す。同図に示すように、買取価格査定システム１Ｄは、店舗側に設置された端末装置９Ｄと、端末装置９Ｄに接続されたスキャナ３と、本部側に設置されたサーバ１０Ｄとを含んでいる。
【００３５】
端末装置９Ｄは、第１画像データベース４と、第１価格データベース５と、第１画像データ照合部６と、第１価格決定部７と、表示部８と、送受信部１１とを備えている。サーバ１０Ｄは、送受信部１２と、第２画像データベース１４と、第２画像データ照合部１６と、第３画像データベース２４とを備えている。
【００３６】
第１画像データベース４および第２画像データベース１４には、第１実施形態における画像データベース４と同様に、複数のトレーディングカード２の照合画像データが識別データに関連付けられて予め格納されている。第３画像データベース２４には、各店舗で取り扱っている商品の全種類のトレーディングカード２の簡易画像に関する簡易画像データが識別データに関連付けられて予め格納されている。これらの簡易画像データは、照合画像データの元となる画像データである。
【００３７】
買取価格査定システム１Ｄでは、スキャナ３で生成された読取画像データに合致する照合画像データが第１画像データベース４に格納されている場合、トレーディングカード２の買取価格の査定は店舗側で完結する。すなわち、かかる場合は、店舗側の端末装置９Ｄと本部側のサーバ１０Ｄとの間でデータの送受信が行われないので、査定するトレーディングカード２をスキャナ３で読み取らせると、約０．１秒〜１秒後に、当該トレーディングカード２の買取価格が表示部８に表示される。
【００３８】
一方、スキャナ３で生成された読取画像データに合致する照合画像データが第１画像データベース４に格納されていない場合、当該読取画像データはサーバ１０Ｄに送信される。具体的には、スキャナ３で生成された読取画像データは、端末装置９Ｄの第１画像データ照合部６から、送受信部１１、１２を介して第２画像データ照合部１６に送信される。読取画像データを受信した第２画像データ照合部１６は、受信した読取画像データと第２画像データベース１４に格納された照合画像データとを照合する。
【００３９】
第２画像データ照合部１６は、受信した読取画像データに合致する照合画像データが第２画像データベース１４に格納されている場合、当該読取画像データに合致する照合画像データ関連付けられた識別データに基づいて、査定するトレーディングカード２の属性を特定する。
【００４０】
なお、第２画像データ照合部１６は、受信した読取画像データに合致する照合画像データが第２画像データベース１４に格納されていない場合、当該読取画像データ元のトレーディングカード２の画像を不図示の表示装置に表示させる。そして、表示装置に表示された画像と第３画像データベース２４に格納された簡易画像データに含まれている簡易画像とを人との目で照合し、サーバ１０Ｄに接続された不図示の端末装置から表示装置に表示された画像に対応した簡易画像を選択する。簡易画像が選択されると、第２画像データ照合部１６は、選択された簡易画像に関する簡易画像データに関連付けられた識別データに基づいて、査定するトレーディングカード２の属性を特定する。さらに、第２画像データ照合部１６は、選択された簡易画像に関する簡易画像データを加工して照合画像データを生成し、生成した照合画像データを特定した属性に関する識別データに関連付けて第２画像データベース１４に格納させる。
【００４１】
第２画像データ照合部１６で特定された属性に関する識別データは、送受信部１２、１１を介して第１画像データ照合部６に送信される。第１画像データ照合部６は、第２画像データ照合部１６に送信した読取画像データを、査定するトレーディングカード２の照合画像データとし、当該照合画像データを第２画像データ照合部１６から送信されてきた識別データに関連付けて第１画像データベース４に格納させる。
【００４２】
買取価格査定システム１Ｄでは、第２画像データベース１４に読取画像データに合致する照合画像データが格納されている場合、査定するトレーディングカード２をスキャナ３で読み取らせてから、第１画像データベース４に照合画像データを格納させるまで、約５秒かかる。このため、買取価格査定システム１Ｄでは、スキャナ３で読み取らせた複数枚のトレーディングカード２の中に表示部８で買取価格が表示されない（画像が表示される）ものがあったとしても、当該トレーディングカード２を約５秒後に再度スキャナ３で読み取らせることで、当該トレーディングカード２の買取価格を表示部８に表示させることができる。
【００４３】
また、買取価格査定システム１Ｄでは、使用していくうちに、第１画像データベース４および第２画像データベース１４に格納されている照合画像データの画像数が増えていく。特に、第２画像データベース１４に格納されている照合画像データの画像数は、サーバ１０Ｄが複数の店舗（複数の端末装置９Ｄ）との間でデータの送受信が可能になっていることから、第１画像データベース４に格納されている照合画像データの画像数よりもはるかに速いスピードで増えていく。このため、買取価格査定システム１Ｄにおいて、店舗側では、サーバ１０Ｄとのデータの送受信を徐々に減らしていくことができ、本部側では、照合画像データの生成を減らしていくことができる。
【００４４】
［第５実施形態］
図６に、本発明の第５実施形態に係る買取価格査定システム１Ｅを示す。同図に示すように、買取価格査定システム１Ｅは、本部側に設置されたサーバ１０Ｅが第２価格データベース１５および第２価格決定部１７を備えていること以外、第４実施形態に係る買取価格査定システム１Ｄと共通している。
【００４５】
第１価格データベース５および第２価格データベース１５には、第１実施形態における価格データベース５と同様に、端末装置９Ｅを設置している店舗で取り扱っている商品の全種類のトレーディングカード２の買取価格に関する買取価格データが、識別データに関連付けられて予め格納されている。
【００４６】
第２価格決定部１７は、第２画像データ照合部１６でトレーディングカード２の属性が特定されると、第２価格データベース１５を参照しつつ、当該属性に関する識別データに関連付けられた買取価格データに基づいてトレーディングカード２の買取価格を決定し、決定した買取価格を表示部８に表示させる。
【００４７】
結局、買取価格査定システム１Ｅは、スキャナ３で生成された読取画像データに合致する照合画像データが第１画像データベース４に格納されていない場合であっても、査定するトレーディングカード２を再度スキャナ３で読み取らせることなく、当該トレーディングカード２の買取価格を表示部８に表示させることができる。
【００４８】
［変形例］
以上、本発明に係る買取価格査定システムの好ましい実施形態について説明したが、本発明は上記各実施形態に限定されるものではない。
【００４９】
例えば、本発明に係る買取価格査定システムは、トレーディングカード２の傷の度合いに応じて買取価格を査定するよう構成できる。傷の度合いに応じて買取価格を査定する構成としては、図７に示すように傷の度合い応じた複数の買取価格（価格１＝傷なし、価格２＝傷小、価格３＝傷中、価格４＝傷大）に関する買取価格データが予め格納された価格データベース５（１５）と、読取画像データに基づいて傷の度合いを判定する画像データ照合部６（１６）と、判定された傷の度合いに応じて買取価格を決定する価格決定部７（１７）とを含む構成が考えられる。また、傷の度合いに応じて買取価格を査定する別の構成としては、読取画像データに基づいて傷の度合いを判定する画像データ照合部６（１６）と、判定された傷の度合いに応じて買取価格を減額する価格決定部７（１７）とを含む構成が考えられる。なお、傷の度合いに応じて買取価格を査定する場合、トレーディングカード２の表面側（キャラクター等が印刷されている側）の傷だけでなく、裏面側の傷も読み取るために、両面読み取りが可能なスキャナ３を用いることが好ましい。
【００５０】
第４実施形態に係る買取価格査定システム１Ｄにおいて、第１画像データ照合部６は、第２画像データ照合部１６に送信した読取画像データを、査定するトレーディングカード２の照合画像データとし、当該照合画像データを第２画像データ照合部１６から送信されてきた識別データに関連付けて第１画像データベース４に格納させているが、これに替えて、第２画像データ照合部１６が、識別データとともに査定するトレーディングカード２の照合画像データを第１画像データ照合部６に送信し、第１画像データ照合部６が、第２画像データ照合部１６から送信されてきた識別データおよび照合画像データを互いに関連付けて第１画像データベース４に格納させるよう構成できる。すなわち、第１画像データ照合部６は、査定するトレーディングカード２の画像に関するデータ（読取画像データまたは照合画像データ）を当該トレーディングカード２の照合画像データとして、第１画像データベース４に格納させることができる。
【００５１】
また、第４実施形態に係る買取価格査定システム１Ｄでは、第１画像データ照合部６が、照合画像データを第１画像データベース４に格納させる際に、自動的に当該照合画像データに関連付けた識別データに基づいてトレーディングカード２の属性を特定し、第１価格決定部７が、当該属性に関する識別データに関連付けられた買取価格データに基づいてトレーディングカード２の買取価格を決定し、決定した買取価格を表示部８に表示させるよう構成できる。かかる構成をとることで、トレーディングカード２を再度スキャナ３で読み取らせる必要がなくなる。
【００５２】
第４および第５実施形態に係る買取価格査定システム１Ｄ、１Ｅでは、第３画像データベース２４を設け、第３画像データベース２４に格納された簡易画像データを加工して照合画像データを生成しているが、これに替えて、スキャナ３で生成された読取画像データを照合画像データとすることができる。
【００５３】
第１〜第３実施形態に係る買取価格査定システム１Ａ〜１Ｃにおいて、読取画像データに合致する照合画像データが画像データベース４に格納されていない場合、スキャナ３で生成された読取画像データを照合画像データとし、当該照合画像データを識別データに関連付けて画像データベース４に格納してもよい。
【００５４】
また、上記各実施形態に係る買取価格査定システム１Ａ〜１Ｅでは、トレーディングカード２固有の属性として名前とレアリティを識別データに含めているが、名前やレアリティ以外の属性（例えば、型番等）を識別データに含めてもよい。
【００５５】
また、トレーディングカード２の画像に関する読取画像データや照合画像データは、必ずしもトレーディングカード２全体の画像に関するものである必要はなく、例えば、トレーディングカード２表面における複数の特徴的な部分の画像に関するものであってもよい。かかる場合、画像データ照合部６（１６）は、特徴的な部分ごとに読取画像データと照合画像データとを照合するよう構成できる。
【符号の説明】
【００５６】
１Ａ〜１Ｅ    買取価格査定システム
２    トレーディングカード
３    スキャナ
４    画像データベース（第１画像データベース）
５    価格データベース（第１価格データベース）
６    画像データ照合部（第１画像データ照合部）
７    価格決定部（第１価格決定部）
８    表示部
９Ａ〜９Ｅ    端末装置
１０Ｂ〜１０Ｅ    サーバ
１１    送受信部
１２    送受信部
１４    第２画像データベース
１５    第２価格データベース
１６    第２画像データ照合部
１７    第２価格決定部
２４    第３画像データベース
【図１】
2014215930.tif 000003
【図２】
2014215930.tif 000004
【図３】
2014215930.tif 000005
【図４】
2014215930.tif 000006
【図５】
2014215930.tif 000007
【図６】
2014215930.tif 000008
【図７】
2014215930.tif 000009